(57)【特許請求の範囲】
【請求項１】
仮想中心軸の前部および後部に設けられた開口と；
開口間に設けられ仮想中心軸から軸対称となるように所定焦点から２次曲面で放射状に形成されるとともに仮想中心軸と直交する方向で切った断面形状が仮想中心軸から離れるに従って小さくなるように形成され所定の半径の凹部または凸部の第１の反射面と；
第１の反射面の間に位置し、第１の反射面とは異なる焦点から２次曲面で形成されるとともに仮想中心軸と直交する方向で切った断面形状が仮想中心軸から離れるに従って大きくなるように形成され第１の反射面の凹部または凸部とは異なる半径の凹部または凸部の第２の反射面と；
を具備したことを特徴とする反射体。
【請求項２】
仮想中心軸の前部および後部に設けられた開口と；
開口間に設けられ仮想中心軸から放射状に形成され仮想中心軸と直交する方向で切った断面形状が仮想中心軸から離れるに従って小さくなるように形成された凹部または凸部の第１の反射面と；
第１の反射面の両側に形成され仮想中心軸と直交する方向で切った断面形状が仮想中心軸から離れるに従って大きくなるように形成された凹部または凸部の第２の反射面と；
第２の反射面の間に形成され仮想中心軸と直交する方向で切った断面形状が仮想中心軸から離れるに従って大きくなるように形成された凹部または凸部の第３の反射面と；
を具備したことを特徴とする反射体。
【請求項３】
請求項１または２記載の反射体と；
この反射体を有する器具本体と；
を具備したことを特徴とする照明器具。
【発明の詳細な説明】
【０００１】
【発明の属する技術分野】
本発明は、中心照度を分散させた反射体および照明器具に関する。
【０００２】
【従来の技術】
従来、この種の反射体としては、たとえば特開平２−９０４０３号公報に記載の構成が知られている。
【０００３】
この特開平２−９０４０３号公報に記載の反射体は、回転放物面である反射面の回転軸を中心として、放射状に等角度で分割して反射面を形成し、それぞれの分割された反射面の中心点を中心とする円弧で切断した断面形状を、所望の角度に一致する曲面で形成したものである。そして、このように形成することにより、２度以上の金型加工あるいは切削加工をすることなく、所望の照射角に容易に設定できるものである。
【０００４】
【発明が解決しようとする課題】
しかしながら、上記特開平２−９０４０３号公報に記載の構成では、所望の照射角を容易に得ることができるものの、中心照度が分散しないので光のむらが生ずることがある問題を有している。
【０００５】
本発明は、上記問題点に鑑みなされたもので、工程を複雑にすることなく光のむらを抑制した反射体および照明器具を提供することを目的とする。
【０００６】
【課題を解決するための手段】
請求項１記載の反射体は、仮想中心軸の前部および後部に設けられた開口と；開口間に設けられ仮想中心軸から軸対称となるように所定焦点から２次曲面で放射状に形成されるとともに仮想中心軸と直交する方向で切った断面形状が仮想中心軸から離れるに従って小さくなるように形成され所定の半径の凹部または凸部の第１の反射面と；第１の反射面の間に位置し、第１の反射面とは異なる焦点から２次曲面で形成されるとともに仮想中心軸と直交する方向で切った断面形状が仮想中心軸から離れるに従って大きくなるように形成され第１の反射面の凹部または凸部とは異なる半径の凹部または凸部の第２の反射面とを具備したもので、仮想中心軸と直交する方向で切った断面形状が仮想中心軸から離れるに従って小さくなるように形成された凹部または凸部の第１の反射面と仮想中心軸から離れるに従って大きくなるように形成された凹部または凸部の第２の反射面とを有することにより複数の照射パターンが重なり、第１の反射面の凹部または凸部と第２の反射面の凹部または凸部の半径を異ならせるとともに第１の反射面および第２の反射面の２次曲面の焦点を異ならせて多重焦点としていることにより光の散乱度が異なり、中心照度を分散して光のむらを抑制する。
【０００７】
請求項２記載の反射体は、仮想中心軸の前部および後部に設けられた開口と；開口間に設けられ仮想中心軸から放射状に形成され仮想中心軸と直交する方向で切った断面形状が仮想中心軸から離れるに従って小さくなるように形成された凹部または凸部の第１の反射面と；第１の反射面の両側に形成され仮想中心軸と直交する方向で切った断面形状が仮想中心軸から離れるに従って大きくなるように形成された凹部または凸部の第２の反射面と；第２の反射面の間に形成され仮想中心軸と直交する方向で切った断面形状が仮想中心軸から離れるに従って大きくなるように形成された凹部または凸部の第３の反射面とを具備したもので、仮想中心軸から離れるに従って小さくなるように形成された凹部または凸部の第１の反射面と、仮想中心軸から離れるに従って大きくなるように形成された凹部または凸部の第２の反射面と、仮想中心軸から離れるに従って大きくなるように形成された凹部または凸部の第３の反射面とを有するので、複数の照射パターンが重なるため、中心照度を分散して光のむらを抑制する。
【０００８】
請求項３記載の照明器具は、請求項１または２記載の反射体と；この反射体を有する器具本体とを具備したもので、それぞれの作用を奏する。
【０００９】
【発明の実施の形態】
以下、本発明の照明器具の一実施の形態を図面を参照して説明する。
【００１０】
図５は一実施の形態の照明器具を示す断面図、図６は側面図、図７は背面図である。これら図５ないし図７に示すように、器具本体１は、前面側に円筒状の前筒部２を有し、この前筒部２の前面側には挿入開口３が形成されている。また、前筒部２の背面側には後方に向けて径小となり前筒部２より径小の中筒部４が９０°毎の架橋部５にて取り付けられ、これら前筒部２および中筒部４の間には、全体でほぼ円周状になる外周部通気孔６が形成されている。
【００１１】
さらに、中筒部４の背面側は前面方向である奥側に折り返された折返部７が形成され、この折返部７の背面側には後方に向けて径小となり中筒部２より径小の後筒部８が９０°毎の架橋部５と直線的に位置した架橋部９にて取り付けられ、これら中筒部４および後筒部８の間には、全体でほぼ円周状になる内周部通気孔11が形成されている。
【００１２】
また、この後筒部８の後方には、装置収容部15が形成され、この装置収容部15の後方には後部通気孔16が形成されており、上部には仰角可変のために回動可能な取付腕17が形成されている。
【００１３】
そして、装置収容部15内には点灯回路20が配設され、この点灯回路20の前面側にはランプソケット21が形成され、このランプソケット21には光源としての一重管のハロゲンランプ22が着脱可能に装着されている。また、このハロゲンランプ21は円筒状のガラス製のバルブ23を有している。
【００１４】
また、ハロゲンランプ21を内包するように内面に熱線吸収層である赤外線吸収層を有する反射面が形成されたアルミニウムあるいはガラス製の反射体26が設けられ、この反射体26の前部側は器具本体１の挿入開口３よりやや突出するとともに、後部側には仮想中心軸を中心とした回転体であり、たとえば放物曲面である２次曲面状の後部反射部27が形成されこの後部反射部27のほぼ中央にはハロゲンランプ21を挿通するほぼ円形の開口としての挿通孔28が形成され、ハロゲンランプ21が挿通される。
【００１５】
さらに、この後部反射部27の前部側には反射体26の開口29aを有する環状の環状反射部29が形成され、この環状反射部29の前方には円筒状の前部筒部30が形成され、この前部筒部30の前面側は内方に向けて屈曲された係止部31を介してほぼ円形の照射開口32が形成され、この係止部31には透光性カバー体であるカバーガラス33が取り付けられて、透光可能に照射開口32を閉塞している。
【００１６】
また、図１は後部反射部27の正面図、図２は図１のII−II断面図、図３は図２のIII−III断面図、図４は径方向の断面による反射方向を説明する説明図で、後部反射部27は、挿通孔28から周縁である開口29aに向けて開口29aが頂点となるように開口29aに向けて細くなるようになるように切り欠かれた曲率半径が１０ｍｍの円柱状で、仮想中心軸の放射方向の表面が２次曲線で形成された放射状の第１の反射面としての第１の突条41が突出形成されている。また、第１の突条41の両側には、開口29aから挿通孔28に向けて挿通孔28の縁部側が頂点となるように開口29aに向けて細くなるように切り欠かれた曲率半径が５ｍｍの円柱状で、仮想中心軸の放射方向の表面が２次曲線で形成された放射状の第２の反射面である第２の突条42が突出形成されている。さらに、これら第２の突条42間に位置し、開口29aから挿通孔28に向けて挿通孔28の縁部側が頂点となるように開口29aに向けて細くなるように切り欠かれた曲率半径が５ｍｍの円柱状で放射方向の表面が２次曲線で形成された第３の反射面である第３の突条43が形成されている。そして、これら第１の突条41、第２の突条42および第３の突条43はそれぞれ等間隔に分割されている。また、第１の突条41と、第２の突条42および第３の突条43は、それぞれ図４に示すように仮想中心軸の径方向に切った断面である反射体26の表面側の半径が異なるため、また、第１の突条41と、第２の突条42および第３の突条43は、各断面の２次曲線の焦点Ｏ1，Ｏ2が異なるので、反射体26は多重焦点を持つこととなり、各分割面での光の散乱度が異なり、中心照度を分散して光のむらを抑制する。
【００１７】
そして、第１の突条41と、第２の突条42および第３の突条43とは、径方向の中心から異なる距離の部分の方面で断面を切った場合、図２および図３に示すように、円弧状の凸部およびＶ字状の凹部などをそれぞれ有するように形成され、中心からの放射線状の異なる距離の部分で凹部および凸部などを有することにより、中心照度を分散して光のむらを抑制する。
【００１８】
また、外周部通気孔６、内周部通気孔11および後部通気孔16のいずれも、反射体26を臨んで形成されるとともに、ＪＩＳ  Ｃ８１０５−１９８７で規定する試験指が入らない幅に形成されるか、試験指が入るとしても試験指が反射体26に接触しないような位置関係に設定されている。また、外周部通気孔６および内周部通気孔11は、反射体26の外周部に位置している。
【００１９】
上記実施の形態によれば、ハロゲンランプ21が点灯している状態で、反射体26が約２００℃程度の温度に上昇しても、外周部通気孔６、内周部通気孔11および後部通気孔16により、効率良く放熱することができるため器具全体を小型化できる。特に、カバーガラス33を有していたり、赤外線吸収膜を有している温度上昇しやすい反射体26でも効率よく冷却できる。
【００２０】
また、外周部通気孔６、内周部通気孔11および後部通気孔16により、反射体26の背面側が外見上露出するので意匠性が向上するとともに、外周部通気孔６、内周部通気孔11および後部通気孔16から試験指が反射体26には接触しないので、反射体26に直接接触することも防止できる。
【００２１】
さらに、内周部通気孔11は、折返部７により、周囲より奥まって位置しているため、塵埃などが侵入しにくい。
【００２２】
また、反射体26に第１の突条41、第２の突条42および第３の突条43を形成する際には、金型加工あるいは切削加工をほぼ１回で行なえ、製造費用の削減および製造時間の短縮を図ることができる。
【００２３】
なお、上記実施の形態では、ハロゲンランプ25と反射体26とを別体で形成したが、ハロゲンランプ25に反射体26が一体に取り付けられている反射体一体型のランプを用いても同様の効果を得ることができる。
【００２４】
また、反射体26の第１の突条41、第２の突条42および第３の突条43を等分して形成したが、必ずしも等分する必要はなく、また、第１の突条41は挿入孔28まで亘って形成されているが、途中まで形成するのみでもよい。
【００２５】
【発明の効果】
請求項１記載の反射体によれば、仮想中心軸と直交する方向で切った断面形状が仮想中心軸から離れるに従って小さくなるように形成された凹部または凸部の第１の反射面と仮想中心軸から離れるに従って大きくなるように形成された凹部または凸部の第２の反射面とを有することにより複数の照射パターンが重なり、第１の反射面の凹部または凸部と第２の反射面の凹部または凸部の半径を異ならせるとともに第１の反射面および第２の反射面の２次曲面の焦点を異ならせて多重焦点としていることにより光の散乱度が異なり、中心照度を分散して光のむらを抑制できる。
【００２６】
請求項２記載の反射体によれば、仮想中心軸から離れるに従って小さくなるように形成された凹部または凸部の第１の反射面と、仮想中心軸から離れるに従って大きくなるように形成された凹部または凸部の第２の反射面と、仮想中心軸から離れるに従って大きくなるように形成された凹部または凸部の第３の反射面とを有するので、複数の照射パターンが重なるため、中心照度を分散して光のむらを抑制できる。
【００２７】
請求項３記載の照明器具によれば、請求項１または２記載の反射体を有する器具本体とを具備したので、それぞれの効果を奏することができる。
【図面の簡単な説明】
【図１】  本発明の一実施の形態の反射体の後部反射部を示す正面図である。
【図２】  同上図１のII−II断面図である。
【図３】  同上図２のIII−III断面図である。
【図４】  同上径方向の断面による反射方向を説明する説明図である。
【図５】  同上照明器具の一実施の形態を示す断面図である。
【図６】  同上照明器具の側面図である。
【図７】  同上照明器具の背面図である。
【符号の説明】
１    器具本体
26    反射体
28，29a    開口
41    第１の反射面としての第１の突条
42    第２の反射面としての第２の突条
43    第３の反射面としての第３の突条
【図１】
0003838285.tif 000002
【図２】
0003838285.tif 000003
【図３】
0003838285.tif 000004
【図４】
0003838285.tif 000005
【図５】
0003838285.tif 000006
【図６】
0003838285.tif 000007
【図７】
0003838285.tif 000008